(57)【要約】【課題】小型で構造が単純であり、バルク方式での供給及び実装が可能な有極性チップ部品とその極性整列方法を提供すること。【解決手段】陽極リード端子１及び陰極リード端子２を有する有極性チップ部品であり、陽極リード端子１は強磁性体の材質からなり、陰極リード端子２は反磁性体もしくは弱磁性体の材質からなる。また陽極リード端子１と陰極リード端子２の材質は入れ替わってもよい。さらに、強磁性体の材質と、反磁性体もしくは弱磁性体の材質とからなる複合材を一方のリード端子に用いてもよい。このような構成とすることで、磁界を用いて容易に極性を揃えることができる。【選択図】  図１
2004349533.tif 000002
【特許請求の範囲】
【請求項１】
有極性のリード端子を有する有極性チップ部品において、前記リード端子の一方は強磁性体の材質からなり、他方は反磁性体もしくは弱磁性体の材質からなることを特徴とする有極性チップ部品。
【請求項２】
有極性のリード端子を有する有極性チップ部品において、前記リード端子の一方は、強磁性体の材質と、反磁性体もしくは弱磁性体の材質とを組み合わせた複合材からなり、前記リード端子の他方は反磁性体もしくは弱磁性体の材質からなることを特徴とする有極性チップ部品。
【請求項３】
チップ固体電解コンデンサであることを特徴とする請求項１または２に記載の有極性チップ部品。
【請求項４】
請求項１から３のいずれかに記載の有極性チップ部品を、磁力により、極性を同一方向に揃えて整列することを特徴とする有極性チップ部品の極性整列方法。
【発明の詳細な説明】
【０００１】
【発明の属する技術分野】
本発明は、有極性チップ部品及びその極性整列方法に係り、特に磁力によりチップ固体電解コンデンサの極性を同一方向に揃えて整列するのに好適な有極性チップ部品及びその極性整列方法に関する。
【０００２】
【従来の技術】
従来の、例えばチップ固体電解コンデンサなどにおいて、有極性チップ部品は陽陰極端子が同一材質であり、極性を同一方向に揃えて整列するためにスティックケースやテーピングの形態が採られる。
【０００３】
また、下記の特許文献１には、側端面に帯磁鉄粉を付着させたチップ部品を、磁力により、向きを揃えて位置出しする技術が開示されている。
【０００４】
【特許文献１】
特開平７−３３６０９０号公報
【０００５】
【発明が解決しようとする課題】
ところで、有極性チップ部品を、スティックケースやテーピングを用いた形態で出荷する場合には、部品の実装後に、産業廃棄物が発生する。また、有極性チップ部品をバルク状態で出荷した場合には、極性を同一方向に整列させることは困難である。
【０００６】
また、特許文献１に開示された技術においては、有極性チップ部品の向きを変えるのに十分な力を得るためには、側端面に付着させる帯磁鉄粉の量を多くする必要があり、さらに付着のための材料も必要となり、小型化を阻む要因となる。また帯磁鉄粉を付着する工程による工数の増加は小さくない。
【０００７】
この状況にあって、本発明は、小型で、構造が単純であり、バルク方式での供給及び実装が可能な有極性チップ部品とその極性整列方法を提供することを課題とする。
【０００８】
【課題を解決するための手段】
本発明の有極性チップ部品は、有極性のリード端子を有する有極性チップ部品であり、前記リード端子の一方は強磁性体の材質からなり、他方は反磁性体もしくは弱磁性体の材質からなることを特徴とする。
【０００９】
また、本発明の有極性チップ部品は、有極性のリード端子を有する有極性チップ部品であり、前記リード端子の一方は、強磁性体の材質と、反磁性体もしくは弱磁性体の材質とを組み合わせた複合材からなり、前記リード端子の他方は反磁性体もしくは弱磁性体の材質からなることを特徴とする。
【００１０】
また、前記有極性チップ部品はチップ固体電解コンデンサとすることができる。
【００１１】
そして、本発明の有極性チップ部品の極性整列方法は、前記有極性チップ部品を、磁力により、極性を同一方向に揃えて整列することを特徴とする。
【００１２】
【発明の実施の形態】
次に、本発明の実施の形態を説明する。
【００１３】
まず有極性チップ部品としてのチップ固体電解コンデンサのリード端子の場合を説明する。陽極リード端子を強磁性体の材質、例えば鉄にして、陰極端子を反磁性体あるいは弱磁性体の材質、例えば銅にすることにより、磁力により陽極リード端子のみが引き寄せられ、極性を同一方向に配向して整列することができる。なお、ここで弱磁性体にはアルミニウムなどの常磁性体が含まれる。
【００１４】
また、このようなリード端子に用いる強磁性体の好適な例としては、ニッケル鉄合金があり、反磁性体あるいは弱磁性体としての好適な例には銅合金があるが、これに限らない。
【００１５】
なお、強磁性体の材質、及び反磁性体あるいは弱磁性体の材質については陽陰極リード端子の間で互いに入れ替わってもよい。
【００１６】
また、本発明の有極性チップ部品は、チップ固体電解コンデンサに限らず、複合電子部品などであってもよい。
【００１７】
このように、陽極リード端子または陰極リード端子のいずれかに強磁性体の材質が用いられていれば、磁力により、容易に極性を同一方向に揃えて整列することが可能になる。また、本実施の形態におけるリード端子に用いられた強磁性体は軟質磁性を有するので、外部磁界が存在しないときには、吸引力を発生することはなく、周囲に磁界を発生させることもない。したがって、鉄粉などの異物を吸引したり、実装後に周囲の部品に磁気的な悪影響を及ぼすことがない。
【００１８】
【実施例】
次に、本発明の実施例を図面に基づいて説明する。
【００１９】
（実施例１）図１は、本発明の実施例１に係るチップ固体電解コンデンサと磁力源の正面図である。図１に示すように、コンデンサ素子に接続され、外装するモールド樹脂３の端面及び実装面に沿って折り曲げられた陽極リード端子１及び陰極リード端子２が備えられている。この陽極リード端子１は鉄を主成分とする合金からなり、また陰極リード端子２は銅を主成分とする合金からなる。また、図１は、磁力源４によって、陽極リード端子１の側が引きつけられて配向した状態を示している。
【００２０】
（実施例２）図２は、本発明の実施例２に係るチップ固体電解コンデンサと磁力源の斜視図である。図２に示すように、直方体の一端に鉄合金からなる陽極リード端子１が形成され、また他端には銅合金からなる陰極リード端子２が形成されている。そして、磁力源４の側に陽極リード端子１が引きつけられて配向している。
【００２１】
本実施例２は、電極（陽極リード端子１または陰極リード端子２）の各々を５面とした実施例である。このように５面を電極とすることにより、製品の長手方向を軸としたときの４つの側面のいずれをも実装面とすることができ、製品の転がりを補整する必要がなく、バルク品による実装が一層容易になる。
【００２２】
図１及び図２に２種類の端子形状についての実施例を示したが、この形状に限られたものではなく、この発明の要旨を逸脱しない範囲の端子形状についても本発明に含まれる。
【００２３】
（実施例３）図３は、本発明の実施例３に係るチップ固体電解コンデンサと磁力源の正面図である。図３に示すように、コンデンサ素子に接続され、外装するモールド樹脂３の端面及び実装面に沿って折り曲げられた陽極リード端子及び陰極リード端子２が備えられている。このとき陽極リード端子は、複合の板材からなり、銅合金の陽極内側リード端子１ａと、鉄合金の陽極外側リード端子１ｂとで形成されている。また陰極リード端子２は銅合金からなる。
【００２４】
このように、強磁性体を含む複合板材によって、陽極リード端子を形成すれば、磁力源４を用いて容易に極性の同一方向への配向整列が可能になる。
【００２５】
図３では片方の電極が２種類の材質を接合し形成される実施例を示したが、この接合形態、接合組合せに限られたものではなく、この発明の要旨を逸脱しない範囲の形態についても本発明に含まれる。例えば、片方の電極に、４２合金（４２％Ｎｉ−Ｆｅ）などのニッケル鉄合金を、銅で挟んだクラッド材を用いることもできる。
【００２６】
【発明の効果】
以上に説明したように、本発明によれば、単純な構造を有し、有極性チップ部品のバルク方式での供給及び実装において、磁力により容易に極性を同一方向に揃えて整列することが可能な有極性チップ部品及びその極性整列方法を提供することができる。
【図面の簡単な説明】
【図１】本発明の実施例１に係るチップ固体電界コンデンサと磁力源の正面図。
【図２】本発明の実施例２に係るチップ固体電解コンデンサと磁力源の斜視図。
【図３】本発明の実施例３に係るチップ固体電解コンデンサと磁力源の正面図。
【符号の説明】
１    陽極リード端子
１ａ    陽極内側リード端子
１ｂ    陽極外側リード端子
２    陰極リード端子
３    モールド樹脂
４    磁力源
【図１】
2004349533.tif 000003
【図２】
2004349533.tif 000004
【図３】
2004349533.tif 000005